(57)【要約】    【課題】  本発明は、運送費および梱包費を抑制しつつ、名刺を印刷する側の梱包作業および名刺を受け取る側の仕分け作業を最小限に抑制することができる名刺印刷システムを提供する。    【解決手段】  名刺印刷システムは、パーソナルコンピュータ（ＰＣ）１１０と、第１のプリンタ１２０および第２のプリンタ１３０とを備え、ＰＣ１１０が読み込んだ顧客データを含む情報に基づいて、名刺を収納して顧客に送付するための大箱のサイズおよび個数ならびに名刺を収納して個別に配布するための小箱のサイズおよび個数を決定し、決定した大箱に小箱がすべて収納可能でないときは大箱のサイズを更新し、大箱のサイズおよび個数ならびに小箱のサイズ個数に基づいて梱包指示書、納品書、および請求書を第１のプリンタ１２０に印刷させる共に、名刺データを第２のプリンタ１３０に印刷させる。【選択図】      図３
2005352587.tif 000002
【特許請求の範囲】
【請求項１】
顧客情報を読み込んで名刺を印刷装置に印刷させる情報処理装置を備える名刺印刷システムにおいて、
前記情報処理装置は、前記名刺を収納して顧客に送付するための第１の箱の仕様を前記顧客情報を含む第１の情報に基づいて決定する第１の決定手段と、
前記名刺を収納して個別に配布するための第２の箱の仕様を前記顧客情報を含む第２の情報に基づいて決定する第２の決定手段と、
前記決定された第１の箱に、前記決定された第２の箱がすべて収納可能か否かを判定する判定手段と、
前記判定により収納可能でないときは、前記第１の箱の仕様を更新する更新手段と、
前記第１の情報および前記第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成手段と、
前記第１の梱包指示書、前記第１の納品書、前記第２の梱包指示書、および前記第２の納品書を前記印刷装置に印刷させる印刷制御手段とを備えることを特徴とする名刺印刷システム。
【請求項２】
情報処理装置と、１つまたは複数の印刷装置とを備える名刺印刷システムであって、
前記情報処理装置は、顧客情報を記憶する顧客情報記憶手段と、
名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶手段と、
前記第２の箱の仕様と個数を、前記顧客情報を含む第２の情報および前記第２の箱仕様情報に基づいて決定する第２の決定手段と、
前記第１の箱の仕様と個数を、前記顧客情報を含む第１の情報、前記第１の箱仕様情報、および前記第２の箱の仕様と個数に基づいて決定する第１の決定手段と、
前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成手段と、
前記第１の納品書、前記第２の納品書を前記印刷装置に印刷させる印刷制御手段とを備えることを特徴とする名刺印刷システム。
【請求項３】
印刷データ生成手段は、前記第１の情報および前記第１の箱の仕様と個数に基づいて、前記第１の箱に収納すべき第２の箱を指示する第１の梱包指示書の印刷データと、前記第２の情報および前記決定された第２の箱の仕様と個数に基づいて、前記第２の箱に収納すべき名刺を指示する第２の梱包指示書を更に生成し、
前記印刷制御手段は、前記第１の梱包指示書と前記第２の梱包指示書を前記印刷装置に印刷させることを特徴とする請求項２記載の名刺印刷システム。
【請求項４】
前記印刷データ生成手段は、前記第１の箱に貼付する送付先が印刷された第１のラベルおよび前記決定された第２の箱に貼付する部門が印刷された第２のラベルの印刷データを生成し、前記印刷制御手段により前記印刷装置に前記第１のラベルおよび前記第２のラベルを印刷させることを特徴とする請求項１乃至３のいずれか１項に記載の名刺印刷システム。
【請求項５】
前記印刷制御手段は、前記名刺の輸送日数、前記名刺を印刷する印刷装置の台数、前記名刺の印刷順、および前記送付先を含む印刷情報に応じて、前記印刷装置に名刺を印刷させることを特徴とする請求項１乃至４のいずれか１項に記載の名刺印刷システム。
【請求項６】
顧客情報を読み込んで名刺を印刷装置に印刷させる情報処理装置を備える名刺印刷システムの制御方法において、
前記名刺を収納して顧客に送付するための第１の箱の仕様を前記顧客情報を含む第１の情報に基づいて決定する第１の決定工程と、
前記名刺を収納して個別に配布するための第２の箱の仕様を前記顧客情報を含む第２の情報に基づいて決定する第２の決定工程と、
前記決定された第１の箱に、前記決定された第２の箱がすべて収納可能か否かを判定する判定工程と、
前記判定により収納可能でないときは、前記第１の箱の仕様を更新する更新工程と、
前記第１の情報および前記第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成工程と、
前記第１の梱包指示書、前記第１の納品書、前記第２の梱包指示書、および前記第２の納品書を前記印刷装置に印刷させる印刷制御工程とを備えることを特徴とする名刺印刷システムの制御方法。
【請求項７】
情報処理装置と、１つまたは複数の印刷装置とを備える名刺印刷システムの制御方法であって、
前記情報処理装置は、顧客情報を記憶する顧客情報記憶ステップと、
名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶ステップと、
前記第２の箱の仕様と個数を、前記顧客情報を含む第２の情報および前記第２の箱仕様情報に基づいて決定する第２の決定ステップと、
前記第１の箱の仕様と個数を、前記顧客情報を含む第１の情報、前記第１の箱仕様情報、および前記第２の箱の仕様と個数に基づいて決定する第１の決定ステップと、
前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成ステップと、
前記第１の納品書、前記第２の納品書を前記印刷装置に印刷させる印刷制御ステップとを備えることを特徴とする名刺印刷システムの制御方法。
【請求項８】
顧客情報を読み込んで名刺を印刷装置に印刷させる情報処理装置を備える名刺印刷システムの名刺印刷方法をコンピュータに実行させるプログラムにおいて、
前記名刺を収納して顧客に送付するための第１の箱の仕様を前記顧客情報を含む第１の情報に基づいて決定する第１の決定モジュールと、
前記名刺を収納して個別に配布するための第２の箱の仕様を前記顧客情報を含む第２の情報に基づいて決定する第２の決定モジュールと、
前記決定された第１の箱に、前記決定された第２の箱がすべて収納可能か否かを判定する判定モジュールと、
前記判定により収納可能でないときは、前記第１の箱の仕様を更新する更新モジュールと、
前記第１の情報および前記第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成モジュールと、
前記第１の梱包指示書、前記第１の納品書、前記第２の梱包指示書、および前記第２の納品書を前記印刷装置に印刷させる印刷制御モジュールとを備えることを特徴とするプログラム。
【請求項９】
情報処理装置と、１つまたは複数の印刷装置とを備える名刺印刷システムの制御プログラムであって、
前記情報処理装置を、顧客情報を記憶する顧客情報記憶手段、
名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶手段、
前記第２の箱の仕様と個数を、前記顧客情報を含む第２の情報および前記第２の箱仕様情報に基づいて決定する第２の決定手段、
前記第１の箱の仕様と個数を、前記顧客情報を含む第１の情報、前記第１の箱仕様情報、および前記第２の箱の仕様と個数に基づいて決定する第１の決定手段、
前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成手段、
前記第１の納品書、前記第２の納品書を前記印刷装置に印刷させる印刷制御手段として機能させるための名刺印刷システムの制御プログラム。
【発明の詳細な説明】
【技術分野】
【０００１】
本発明は、名刺印刷システムおよびその制御方法、並びにプログラムに関し、特に、名刺印刷を行うと共に、印刷された名刺を梱包して配送するための名刺印刷システムおよびその制御方法、並びにプログラムに関する。
【背景技術】
【０００２】
従来、大企業等において大規模な組織変更がなされた場合、組織名称の変更や人事異動に伴って社員の名刺を一斉に更新する必要がある。このような大規模な人事異動等は、１年のうち概ね４月または１０月に行われるため、３月および９月に大量の名刺印刷の注文が集中している。
【０００３】
一方、物流における梱包形態に基づく費用を算出して料金を計算する情報管理装置が開示されている（例えば、特許文献１参照）。また、顧客に対する物流業務区分毎の物流費用に関する有用な情報を提示することのできる物流管理システムが開示されている（例えば、特許文献２参照）。
【特許文献１】特開２００３−２０３１０９号公報
【特許文献２】特開２００３−１０８６３４号公報
【発明の開示】
【発明が解決しようとする課題】
【０００４】
しかしながら、名刺印刷を依頼された印刷会社では、大量の名刺印刷の注文に伴って、名刺印刷を依頼した会社の社員一人当たり約１００枚の名刺を数千人分印刷し、それらを梱包して送付先に配送する必要があるため、大変な手間がかかる。
【０００５】
また、名刺印刷を依頼した会社でも、事業所、事業部、本部、部、課といった多階層の組織で構成されているため、社員一人一人に名刺を配布するには大変な手間と労力がかかり、名刺を印刷する側およびそれを受け取る側では、煩雑な仕分け作業が必要になる。
【０００６】
本発明は、上記問題に鑑みて成されたものであり、運送費および梱包費を抑制しつつ、名刺を印刷する側の梱包作業および名刺を受け取る側の仕分け作業を最小限に抑制することができる名刺印刷システムおよびその制御方法、ならびにプログラムを提供することを目的とする。
【課題を解決するための手段】
【０００７】
上記目的を達成するために、請求項１記載の名刺印刷システムは、顧客情報を読み込んで名刺を印刷装置に印刷させる情報処理装置を備える名刺印刷システムにおいて、前記情報処理装置は、前記名刺を収納して顧客に送付するための第１の箱の仕様を前記顧客情報を含む第１の情報に基づいて決定する第１の決定手段と、前記名刺を収納して個別に配布するための第２の箱の仕様を前記顧客情報を含む第２の情報に基づいて決定する第２の決定手段と、前記決定された第１の箱に、前記決定された第２の箱がすべて収納可能か否かを判定する判定手段と、前記判定により収納可能でないときは、前記第１の箱の仕様を更新する更新手段と、前記第１の情報および前記第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成手段と、前記第１の梱包指示書、前記第１の納品書、前記第２の梱包指示書、前記第２の納品書、および請求書を前記印刷装置に印刷させる印刷制御手段とを備えることを特徴とする。
【０００８】
上記目的を達成するために、請求項２記載の名刺印刷システムは、情報処理装置と、１つまたは複数の印刷装置とを備える名刺印刷システムであって、前記情報処理装置は、顧客情報を記憶する顧客情報記憶手段と、名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶手段と、前記第２の箱の仕様と個数を、前記顧客情報を含む第２の情報および前記第２の箱仕様情報に基づいて決定する第２の決定手段と、前記第１の箱の仕様と個数を、前記顧客情報を含む第１の情報、前記第１の箱仕様情報、および前記第２の箱の仕様と個数に基づいて決定する第１の決定手段と、前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成手段と、前記第１の納品書、前記第２の納品書を前記印刷装置に印刷させる印刷制御手段とを備えることを特徴とする。
【０００９】
上記目的を達成するために、請求項６記載の名刺印刷システムの制御方法は、顧客情報を読み込んで名刺を印刷装置に印刷させる情報処理装置を備える名刺印刷システムの名刺印刷方法において、前記名刺を収納して顧客に送付するための第１の箱の仕様を前記顧客情報を含む第１の情報に基づいて決定する第１の決定工程と、前記名刺を収納して個別に配布するための第２の箱の仕様を前記顧客情報を含む第２の情報に基づいて決定する第２の決定工程と、前記決定された第１の箱に、前記決定された第２の箱がすべて収納可能か否かを判定する判定工程と、前記判定により収納可能でないときは、前記第１の箱の仕様を更新する更新工程と、前記第１の情報および前記第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成工程と、前記第１の梱包指示書、前記第１の納品書、前記第２の梱包指示書、および前記第２の納品書を前記印刷装置に印刷させる印刷制御工程とを備えることを特徴とする。
【００１０】
上記目的を達成するために、請求項７記載の名刺印刷システムの制御方法は、情報処理装置と、１つまたは複数の印刷装置とを備える名刺印刷システムの制御方法であって、前記情報処理装置は、顧客情報を記憶する顧客情報記憶ステップと、名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶ステップと、前記第２の箱の仕様と個数を、前記顧客情報を含む第２の情報および前記第２の箱仕様情報に基づいて決定する第２の決定ステップと、前記第１の箱の仕様と個数を、前記顧客情報を含む第１の情報、前記第１の箱仕様情報、および前記第２の箱の仕様と個数に基づいて決定する第１の決定ステップと、前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成ステップと、前記第１の納品書、前記第２の納品書を前記印刷装置に印刷させる印刷制御ステップとを備えることを特徴とする。
【００１１】
上記目的を達成するために、請求項８記載のプログラムは、顧客情報を読み込んで名刺を印刷装置に印刷させる情報処理装置を備える名刺印刷システムの名刺印刷方法をコンピュータに実行させるプログラムにおいて、前記名刺を収納して顧客に送付するための第１の箱の仕様を前記顧客情報を含む第１の情報に基づいて決定する第１の決定モジュールと、前記名刺を収納して個別に配布するための第２の箱の仕様を前記顧客情報を含む第２の情報に基づいて決定する第２の決定モジュールと、前記決定された第１の箱に、前記決定された第２の箱がすべて収納可能か否かを判定する判定モジュールと、前記判定により収納可能でないときは、前記第１の箱の仕様を更新する更新モジュールと、前記第１の情報および前記更新された第１の箱の仕様に基づいて、前記第１の箱に収納すべき第２の箱を指示する第１の梱包指示書および前記第１の箱に同梱する第１の納品書の印刷データをそれぞれ生成すると共に、前記第２の情報および前記決定された第２の箱の仕様に基づいて、前記第２の箱に収納すべき名刺を指示する第２の梱包指示書および前記第２の箱に同梱する第２の納品書の印刷データをそれぞれ生成する印刷データ生成モジュールと、前記第１の梱包指示書、前記第１の納品書、前記第２の梱包指示書、および前記第２の納品書を前記印刷装置に印刷させる印刷制御モジュールとを備えることを特徴とする。
【００１２】
上記目的を達成するために、請求項９記載の名刺印刷システムの制御プログラムは、情報処理装置と、１つまたは複数の印刷装置とを備える名刺印刷システムの制御プログラムであって、前記情報処理装置を、顧客情報を記憶する顧客情報記憶手段、名刺を収納して顧客に個別に配布するための第２の箱の寸法を含む第２の箱仕様情報および前記第２の箱を複数収納して顧客に送付するための第１の箱の寸法を含む第１の箱仕様情報を記憶する箱仕様情報記憶手段、前記第２の箱の仕様と個数を、前記顧客情報を含む第２の情報および前記第２の箱仕様情報に基づいて決定する第２の決定手段、前記第１の箱の仕様と個数を、前記顧客情報を含む第１の情報、前記第１の箱仕様情報、および前記第２の箱の仕様と個数に基づいて決定する第１の決定手段、前記第１の情報および前記第１の箱の仕様と個数に基づいて、前記第１の箱に同梱する第１の納品書の印刷データを生成すると共に、前記第２の情報および前記決定された第２の箱の仕様と個数に基づいて、前記第２の箱に同梱する第２の納品書の印刷データを生成する印刷データ生成手段、前記第１の納品書、前記第２の納品書を前記印刷装置に印刷させる印刷制御手段として機能させる。
【発明の効果】
【００１３】
本発明によれば、名刺を収納して顧客に送付するための第１の箱の仕様を顧客情報を含む第１の情報に基づいて決定し、名刺を収納して個別に配布するための第２の箱の仕様を顧客情報を含む第２の情報に基づいて決定し、決定された第１の箱の仕様および第２の箱の仕様ならびに第１、第２の情報に基づき梱包指示書、および納品書を印刷装置に印刷させるので、名刺の印刷と共に梱包指示書、および納品書を一括して印刷することができる。
【００１４】
また、印刷会社は、梱包指示書に従って名刺を梱包すればよいので、梱包作業の効率を大きく改善することができると共に、梱包ミスを減らすことができる。
【発明を実施するための最良の形態】
【００１５】
以下、本発明の実施の形態を図面を参照して詳細に説明する。
【００１６】
図１は、本発明の実施の形態に係る名刺印刷システムの全体構成を示す構成図である。
【００１７】
図１において、本名刺印刷システムは、パーソナルコンピュータ（ＰＣ）１１０と、ネットワークを介してデータの送受信が可能な第１のプリンタ１２０および第２のプリンタ１３０と、これらを互いに接続するＬＡＮ（Local Area Network）１００とで構成される。
【００１８】
ＰＣ１１０は、本名刺印刷システムにおける名刺用、および名刺の梱包指示書、納品書、請求書等の帳票用の印刷データと、これらを生成するためのアプリケーションソフトウェアとを備え、第１のプリンタ１２０および第２のプリンタ１３０に対して印刷指示を行う情報処理装置である。
【００１９】
第１のプリンタ１２０は、例えば、ラベルプリンタやレーザープリンタ等で構成され、ＰＣ１１０からＬＡＮ１００を介して受信した帳票用印刷データに基づいて、名刺が梱包された箱に貼付するラベルや名刺の梱包を作業者に指示するための梱包指示書、印刷会社が名刺印刷を依頼した会社（顧客）に提出する納品書や請求書等を印刷する印刷装置である。第２のプリンタ１３０は、ＰＣ１１０からＬＡＮ１００を介して受信した名刺用印刷データに基づいて、名刺の印刷を行う印刷装置である。
【００２０】
図示では、ＬＡＮ１００上に第１のプリンタ１２０と第２のプリンタ１３０とが別個に設置されているが、１台で構成するようにしてもよい。また、第１のプリンタ１２０は１台であるが、ラベルプリンタとレーザープリンタの２台で構成したり、ラベルプリンタと複合機とで構成したりしてもよい。同様に、第２のプリンタ１３０も名刺の種類や名刺の印刷枚数に応じて複数台で構成されていてもよい。つまり、不図示の第３のプリンタ、第４のプリンタ、・・・第ｎのプリンタを含む構成としてもよい。第１のプリンタ１２０をラベルプリンタと複合機とで構成する場合は、アプリケーションソフトウェアをＰＣ１１０上で稼動させてもよいが、当該複合機上で稼動させるようにしてもよい。
【００２１】
図２は、図１の名刺印刷システムにおけるＰＣ１１０の内部構成を示すブロック図である。
【００２２】
図２において、ＰＣ１１０は、ＣＰＵ（Central Processing Unit）２１と、ＲＡＭ（Random Access Memory）２２と、ＲＯＭ（Read Only Memory）２３と、ＬＡＮアダプタ２４と、ビデオアダプタ２５と、キーボード２６と、マウス２７と、ハードディスク２８と、ＣＤ−ＲＯＭドライブ２９とを備え、これらがシステムバス２０を介して互いに接続されている。
【００２３】
ＣＰＵ２１は、ＰＣ１１０内の各部を制御すると共に、ハードディスク２８等の記憶装置またはＣＤ−ＲＯＭドライブ２９に挿入されたＣＤ−ＲＯＭ等の記憶媒体に記憶（格納）されているアプリケーションソフトウェアのプログラムを読み出して、後述する処理を含めて所定の処理を実行する。ＲＡＭ２２は、ＣＰＵ２１が所定の処理を実行する際に読み出されたアプリケーションプログラムやデータ等を一時記憶するためのワークエリアを有するメモリである。ＬＡＮアダプタ２４は、ＬＡＮ１００や他のネットワーク等に接続してデータを送受信するための通信インターフェースである。ビデオアダプタ２５は、不図示の表示装置（モニタ）に接続して所定の画面を表示させるためのインターフェースである。
【００２４】
次に、図１の名刺印刷システムにおいて実行される印刷処理について説明する。
【００２５】
図３は、名刺印刷システムにおいて実行される印刷処理のメインとなるフローチャートである。本処理は、ＰＣ１１０、第１のプリンタ１２０、第２のプリンタ１３０により協働して行われ、ＣＰＵ２１の制御の下で実行されるものである。
【００２６】
図３において、ＰＣ１１０は、顧客データをハードディスク２８やＣＤ−ＲＯＭ、またはＬＡＮ１００上の他の情報処理装置（不図示）から読み込む（ステップＳ３０１）。顧客データは、図４に示す名刺データのうち、管理番号、大箱Ｎｏ．、小箱Ｎｏ．、印刷装置Ｎｏ．、輸送日数、および印刷順の６項目を除いた会社名称、郵便番号、住所、部門名称、肩書、氏名、電話番号、ＦＡＸ番号、Ｅ−ｍａｉｌアドレス等の各項目で構成され、顧客から、例えば、ＣＳＶ（Comma Separated Values：カンマ区切り形式のデータ）で提供されたものである。なお、会社名称、部門名称、肩書、および氏名等の各項目には英語表記が含まれていてもよい。
【００２７】
顧客データを読み込んだＰＣ１１０は、読み込んだ顧客データのうちの各明細に対してそれぞれ一意の管理番号を採番し、図４の名刺データを生成してハードディスク２８に記憶する。この時点では、大箱Ｎｏ．、小箱Ｎｏ．、印刷装置Ｎｏ．、輸送日数、および印刷順の６項目にはデータが入力されていないものとする。
【００２８】
次に、ステップＳ３０２では、後述する大箱判定処理を実行する。大箱判定処理は、ハードディスク２８に記憶された名刺データおよび図８（ａ）に示す大箱寸法テーブル等に基づき、大箱のサイズおよびその必要な個数を大箱の仕様として仮決定するものである。
【００２９】
大箱とは、名刺を収納した小箱を複数収容して顧客に送付するための箱である。大箱は、図８（ａ）に示すように、大箱の仕様として複数のサイズを有し、大箱より小さいサイズの小箱を複数個収納することができる。この大箱には、第１のプリンタ１２０により印刷された大箱用ラベルが貼付される。
【００３０】
印刷条件データは、印刷する名刺のサイズや一人当たりの印刷枚数、名刺の印刷レイアウトを特定する番号等の項目が含まれ、ＰＣ１１０のキーボード２６やマウス２７から直接入力されるかまたは予めハードディスク２８に記憶され、印刷処理実行時に適宜読み出されてＲＡＭ２２内のワークエリアに記憶されている。
【００３１】
大箱判定処理により仮決定された大箱のサイズおよび個数は、大箱判定データとしてＲＡＭ２２のワークエリア内に確保された一時表領域に記憶される。また、本処理により、ハードディスク２８に記憶された名刺データの大箱Ｎｏ．欄に、大箱サイズに応じた大箱ナンバーが採番され入力される。
【００３２】
つづいて、ステップＳ３０３では、名刺データおよびステップＳ３０２で仮決定された大箱判定データに基づいて、大箱に貼付する大箱用ラベルの帳票用印刷データを生成してＲＡＭ２２に記憶する。大箱用ラベルの帳票用印刷データは、図９に示すように、例えば、名刺の送付先会社名、窓口部門名、住所、電話番号、箱通番（１／２、２／２等）、荷送り人、および荷送り人電話番号等が含まれる。
【００３３】
次に、ステップＳ３０４では、後述する小箱判定処理を実行する。小箱判定処理は、名刺データおよび図８（ｂ）に示す小箱寸法テーブル等に基づき、小箱のサイズおよびその必要な個数を小箱の仕様として決定するものである。
【００３４】
小箱とは、名刺を収納して社内の各部門（例えば、部別、課別等）に個別に送付するための箱である。小箱は、図８（ｂ）に示すように、複数のサイズを有し、印刷された名刺を所定の枚数分収納することができる。小箱には、第１のプリンタ１２０により印刷された小箱用ラベルが貼付される。
【００３５】
この小箱判定処理にて、名刺データにおける部門の人数、一人当たりの印刷枚数、名刺のサイズ（紙厚、縦横）に応じた最適な小箱が図８（ｂ）の各種小箱の中から選択される。小箱判定処理により決定された小箱のサイズおよび個数は、小箱判定データとしてＲＡＭ２２のワークエリア内に確保された一時表領域に記憶される。また、ハードディスク２８に記憶されている名刺データの小箱Ｎｏ．欄に、小箱サイズに応じた小箱ナンバーが採番され入力される。
【００３６】
つづいて、ステップＳ３０５では、名刺データおよびステップＳ３０４で決定された小箱判定データに基づいて、対応する小箱用ラベルの帳票用印刷データを生成してＲＡＭ２２に記憶する。小箱用ラベルの帳票用印刷データは、図１０に示すように、例えば、名刺の送付先部門名、電話番号、箱通番（１／２、２／２等）、荷送り人、および荷送り人電話番号等が含まれる。
【００３７】
ステップＳ３０６では、名刺データとステップＳ３０５で生成された小箱用ラベルの帳票用印刷データとに基づいて、各小箱に対応する納品書（図１４）および梱包指示書（図１２）の帳票用印刷データを生成し、ハードディスク２８に一時ファイルとして記憶する。
【００３８】
つづいて、ステップＳ３０７では、名刺データとステップＳ３０３で生成された大箱用ラベルの帳票用印刷データとに基づいて、各大箱に対応する納品書（図１３）および梱包指示書（図１１）の帳票用印刷データを生成し、ハードディスク２８に一時ファイルとして記憶する。さらに、小箱の帳票用印刷データおよび大箱の帳票用印刷データに基づいて、図１５に示す請求書の帳票用印刷データを生成し、ハードディスク２８に一時ファイルとして記憶する。
【００３９】
ステップＳ３０８において、ＲＡＭ２２に記憶された大箱用ラベルの帳票用印刷データがＬＡＮ１００を介して第１のプリンタ１２０に送信されると、第１のプリンタ１２０は、図９に示す大箱用ラベルを必要枚数分印刷する。次に、ステップＳ３０９では、ハードディスク２８に記憶された大箱の帳票用印刷データとハードディスク２８に予め記憶された不図示の帳票用のフォームデータとが合成されたデータを、ＰＣ１１０から受信すると、第１のプリンタ１２０は、各大箱に対応する納品書および梱包指示書を印刷する。
【００４０】
ステップＳ３１０では、ＲＡＭ２２に記憶された小箱用ラベルの帳票用印刷データがＬＡＮ１００を介して第１のプリンタ１２０に送信されると、第１のプリンタ１２０は、図１０に示す小箱用ラベルを必要枚数分印刷する。次に、ステップＳ３１１では、ハードディスク２８に記憶された小箱の帳票用印刷データとハードディスク２８に予め記憶されている不図示の帳票用のフォームデータとが合成されたデータを、ＰＣ１１０から受信すると、第１のプリンタ１２０は、各小箱に対応する納品書および梱包指示書を印刷する。さらに、同様にして、第１のプリンタ１２０が請求書を印刷する。
【００４１】
次に、ステップＳ３１２において、ＰＣ１１０は、後述する名刺印刷順判定処理を実行する。この名刺印刷順判定処理は、名刺データおよびハードディスク２８に記憶された図１６に示す送付先住所別の送付所要日数テーブルに基づいて名刺の印刷順を決定する処理である。本処理により決定された名刺の印刷順のデータが名刺データにおける印刷順欄に入力される。印刷順は、大箱毎に決定され、例えば、送付先に遠隔地（例えば、東京で印刷する場合の北海道や九州等）が含まれている場合は、遠隔地に送付する分が先になるように決定される。また、第２のプリンタ１３０以外のプリンタがある場合は、各プリンタ毎に印刷順が決定される。なお、既に印刷順が仮決定されていたときは、印刷順欄に入力されていたデータが更新される。
【００４２】
ステップＳ３１３では、ＰＣ１１０は、ハードディスク２８に記憶された印刷条件データのうち、名刺印刷レイアウトを特定する番号に対応する印刷レイアウトファイルのデータを読み出し、読み出した印刷レイアウトファイルデータおよび名刺データに基づいて名刺用印刷データを生成する。このとき、名刺表面を日本語、裏面を英語で印刷する両面印刷を行う場合は、表面の名刺用印刷データと裏面の名刺用印刷データとがセットで生成される。
【００４３】
ステップＳ３１４では、ステップＳ３１３で生成された名刺用印刷データをＰＣ１１０から受信した第２のプリンタ１３０は、名刺用印刷データに設定された印刷順に名刺印刷を実行する。その後、印刷が異常終了したときは、その旨のメッセージをＰＣ１１０のモニタ画面に表示する一方、印刷が正常終了したときは、ハードディスク２８に一時ファイルとして記憶されたデータおよびＲＡＭ２２内のワークエリアに格納された一時テーブル等を消去して、本処理を終了する。
【００４４】
すべての名刺印刷が終了した後、印刷された小箱用の梱包指示書に従って名刺を仕分けし、仕分けた名刺を小箱用の納品書と共に小箱に収納して梱包する。次に、大箱用の梱包指示書に従って小箱を仕分けし、仕分けた小箱を大箱用の納品書、請求書と共に大箱に収納して梱包する。最終的に、大箱がトラック等に積載され、配送先に運ばれる。
【００４５】
図５は、図３のステップＳ３０２における大箱判定処理の詳細を示すフローチャートである。本処理は、ＰＣ１１０内のＣＰＵ２１がハードディスク２８に記憶されたアプリケーションプログラムをＲＡＭ２２に読み出して、ＣＰＵ２１の制御の下で実行されるものである。
【００４６】
図５において、ステップＳ４０１では、まず、ハードディスク２８に記憶された名刺の印刷条件データおよび名刺寸法テーブルに基づいて、一人当たりの名刺を梱包するのに必要な大きさ（体積）を算出する。例えば、厚手の名刺で１００枚分必要であれば、一人当たりの名刺の体積は６０（ｍｍ）×１００（ｍｍ）×２５（ｍｍ）＝１５０（ｃｍ３）となり、薄手の名刺で１００枚分必要であれば、一人当たりの体積は６０（ｍｍ）×１００（ｍｍ）×２０（ｍｍ）＝１２０（ｃｍ３）となる。
【００４７】
次に、ステップＳ４０２では、名刺データにおける住所１に基づいて、名刺の送付先として住所が複数あるか否かを判別する。住所１のデータは、都道府県名と市名または都道府県名と区名で構成されており、住所２のデータは、町名と番地名、番地で構成されている。ステップＳ４０２は、名刺を住所別にまとめて大箱で配送するために行うもので、例えば、同一の事業部や同一の部であっても異なる住所の場合は別の大箱に入れられる。
【００４８】
ステップＳ４０２の判別の結果、住所が複数ある場合は（ステップＳ４０２でＹＥＳ）、ステップＳ４０７に進む一方、住所が複数でない、すなわち単一である場合は（ステップＳ４０２でＮＯ）、名刺データから全体の人数を集計する（ステップＳ４０３）。
【００４９】
次に、ステップＳ４０３で集計した全体の人数およびステップＳ４０１で算出した一人当たりの名刺の体積により、名刺の梱包に必要な全体体積を算出し（ステップＳ４０４）、ステップＳ４０５へ進む。ステップＳ４０４における全体体積の算出にあたっては、所定の係数（例えば１．３）を掛けたものを用いる。例えば、厚手の名刺で印刷枚数が５００人分であれば、５００（人）×１５０（ｃｍ３）×１．３＝９７５００（ｃｍ３）となる。この係数は、部門単位で小箱に収容するため、部門人数と小箱の最大収容個数とが一致しない場合を考慮した安全係数である。つまり、厚手の名刺を依頼した場合に、部門（例えば第一営業部）の人数が４５人であった場合は、図８の小箱４（名刺を最大６０個分収容可能）を使用することになり、１５人個分（２５％分）のデッドスペースが生じる。このようなケースが生じることを想定して、１．２乃至１．３程度の安全係数が必要になる。
【００５０】
ステップＳ４０７では、複数の送付先住所別に送付先別人数を集計する。次に、ステップＳ４０４と同様に、ステップＳ４０７で集計した送付先別人数とステップＳ４０１で算出された一人当たりの名刺の体積により、送付先別の名刺の梱包に必要な体積を算出し（ステップＳ４０８）、ステップＳ４０５に進む。
【００５１】
次に、ステップＳ４０５では、ステップＳ４０４またはステップＳ４０８で算出された体積から図８（ａ）の大箱寸法テーブルを参照して、対応する大箱のサイズ（ここでは、「大箱１」または「大箱２」の種別）およびその個数を特定する。具体的には、例えば、
「全体体積≦１２３３７５（立方センチメートル。以下同じ）」であるときは「大箱１×１個」、
「１２３３７６＜全体体積≦２４６７５０」であるときは「大箱１×２個」、
「２４６７５１＜全体体積≦３２４８４３」となるときは「大箱２×１個」、
「３２４８４４＜全体体積≦４４８２１８」であるときは「大箱１×１個、大箱２×１個」、
「４４８２１９＜全体体積≦５７１５９３」であるときは「大箱１×２個、大箱２×１個」、
「５７１５９４＜全体体積≦６４９６８６」であるときは「大箱２×２個」として特定する。
【００５２】
なお、図８では、各箱の寸法は外寸であり、大箱や小箱の内寸はダンボールの厚さを２ミリとすると、外寸に比べ約４ミリ小さくなる。上記の計算では大箱の外寸を用いて体積を計算しているため、実際に大箱に収納できる体積（３つの内寸の積）より大きくなっているが、安全係数を掛けてあるため、この誤差は実際には問題にならない。
【００５３】
次に、ステップＳ４０６では、ステップＳ４０５で特定された大箱のサイズおよびその個数に応じて一意の大箱Ｎｏ．を採番し、名刺データにおける大箱Ｎｏ．欄に関連付データとして追加して、リターンする。
【００５４】
上記処理により、送付先別の名刺の配送に適した大箱のサイズおよびその個数が得られる。得られた大箱のサイズおよび個数は、表１に示すように、大箱判定データとしてＲＡＭ２２のワークエリア内に確保された一時表領域に記憶される。
【００５５】
【表１】
2005352587.tif 000003
【００５６】
図６は、図３のステップＳ３０４における小箱判定処理の詳細を示すフローチャートである。本処理は、ＰＣ１１０内のＣＰＵ２１がハードディスク２８に記憶されたアプリケーションプログラムをＲＡＭ２２に読み出して実行されるものである。
【００５７】
図６において、まず、ステップＳ５０１では、名刺データから部門別の人数を集計する。例えば、名刺データの部門名称１に入力された同一名称の部門毎に人数が集計される。
【００５８】
ステップＳ５０２では、名刺データにおける住所１のデータが同一か否かに基づいて、名刺の送付先として住所が複数あるか否かを判別する。この判別の結果、住所が複数ある場合は（ステップＳ５０２でＹＥＳ）、ステップＳ５０３へ進む一方、住所が複数でない、すなわち単一である場合は（ステップＳ５０２でＮＯ）、ステップＳ５０１で集計した部門別人数および図４のステップＳ４０１で算出した一人当たりの名刺の体積により、部門別の名刺の梱包に必要な体積を算出し（ステップＳ５１０）、ステップＳ５０４に進む。
【００５９】
ステップＳ５０３では、複数の住所別に送付先別人数を集計する。このとき、集計した送付先別人数と図５のステップＳ４０１で算出された一人当たりの名刺の体積により、送付先別の名刺の梱包に必要な体積を算出し、ステップＳ５０４へ進む。
【００６０】
次に、ステップＳ５０４では、ステップＳ５０３またはステップＳ５１０で算出された体積から図８（ｂ）の小箱寸法テーブルを参照して、対応する小箱のサイズ（ここでは、「小箱１」〜「小箱４」の種別）およびその個数を特定する。具体的には、小箱のサイズおよびその個数は、表２に示すように、小箱判定データとしてＲＡＭ２２のワークエリア内に確保された一時表領域に各部門毎に集計される。
【００６１】
【表２】
2005352587.tif 000004
【００６２】
但し、単一の課で最も小さい小箱の半数に満たない場合は、複数の小箱に詰め合わせる処理を行なう。例えば、表３に示すように、第一販売課と第二販売課の合計が小箱１の収容数１６に満たない場合は第二販売課の小箱の「数」は０となる。
【００６３】
【表３】
2005352587.tif 000005
【００６４】
次に、ステップＳ５０５では、ステップＳ５０４で特定された小箱のサイズおよび個数から集計対象となった部門名をキーにして、小箱の数だけ一意の小箱Ｎｏ．を採番し、名刺データにおける小箱Ｎｏ．欄に関連付データとして追加する。具体的には、小箱の数が複数である場合は、最初の小箱の小箱Ｎｏ．と同一のナンバーが、当該小箱の実際の収容数に相当する行数の明細行にそれぞれ書き込まれ、２番目以降の小箱の小箱Ｎｏ．が同様に残りの明細行に書き込まれる。
【００６５】
ステップＳ５０６では、小箱の特定がすべて終了したか否かを判別し、最後の小箱を特定した場合は（ステップＳ５０６でＹＥＳ）、ステップＳ５０７に進む一方、最後の小箱を特定していない場合は（ステップＳ５０６でＮＯ）、ステップＳ５０１に戻る。
【００６６】
ステップＳ５０７では、ＲＡＭ２２のワークエリア内に記憶された大箱判定データおよび小箱判定データを参照して、部門別の小箱と大箱の収容可能数を判定する。
【００６７】
次に、ステップＳ５０８では、小箱がすべて所定の大箱に収容可能か否かを判別し、大箱に収容できないときは（ステップＳ５０８でＮＯ）、ハードディスク２８に記憶された大箱寸法テーブルを参照し、大箱判定データにおける大箱のサイズまたは個数を更新すると共に、大箱の個数を増やす場合やサイズを変更する場合は新たな大箱Ｎｏ．を採番し、新たな大箱Ｎｏ．の大箱に収納される名刺分の名刺データの明細行の大箱Ｎｏ．欄のデータを更新する。一方、大箱に収容可能であるときは（ステップＳ５０８でＹＥＳ）、リターンする。
【００６８】
上記処理により、部門別や部課別等の社内における名刺の配布に適した小箱のサイズおよび個数が得られる。具体的には、小箱に収容可能な名刺数が３０セット（１セット＝名刺１００枚）である場合、３０セットに近い単位で名刺が小箱に入れられる。例えば、第一営業部向けが２８セット必要であれば、第一営業部用に小箱１個と小箱用ラベル１枚が割り当てられる。また、第二営業部の第一課と第二課が各々２５セット必要であれば、第二営業部の第一課用と第二課用に各々小箱１個と小箱用ラベル１枚が割り当てられる。第二営業部の第三課が２６セット必要であれば、第三課用に小箱１個と小箱用ラベル１枚が割り当てられる。さらに、第三営業部と第四営業部とが合わせて２８セットであれば、第三営業部用および第四営業部用に小箱１個と小箱用ラベル１枚が割り当てられる。
【００６９】
図７は、図３のステップＳ３１２における名刺印刷順判定処理の詳細を示すフローチャートである。
【００７０】
図７において、ステップＳ６０１では、名刺データにおける住所１のデータおよび送付所要日数テーブルに基づいて、輸送にかかる輸送日数を住所１のデータの前半の都道府県別に算出し、この都道府県データと対応する所要日数とからなる一時テーブルとしてＲＡＭ２２のワークエリアに記憶する。
【００７１】
ステップＳ６０２では、ＲＡＭ２２のワークエリア内に記憶された都道府県データ．と所要日数とからなる一時テーブルに基づいて、名刺データの各明細における輸送日数欄のデータを入力または更新する。ステップＳ６０３では、輸送日数と部門名称１〜部門名称３および氏名をキーにして名刺データをソートし、名刺データの印刷順欄のデータを入力または更新する。
【００７２】
次に、ステップＳ６０４では、名刺データのレコード数（明細行数）が所定数（例えば、１０００等）を超えているか否かを判別する。この判別の結果、所定数を超えている場合は（ステップＳ６０４でＹＥＳ）、名刺印刷を行う第２のプリンタ１３０以外の別の印刷装置（不図示の第３、第４のプリンタ等）を指定して、当該他の印刷装置に対して名刺用印刷データの割り振りを行い、リターンする一方、所定数を超えていない場合は、そのままリターンする。なお、第２のプリンタ１３０が１台のみで第３、第４のプリンタが存在しない場合は、そのままリターンする。
【００７３】
また、ステップＳ６０５では、デフォルトの印刷装置として第２のプリンタ１３０（例えば、０００３１）が入力されているが、第２のプリンタ１３０以外の印刷装置（第３、第４のプリンタ等）を使用する場合には、名刺データにおける印刷装置Ｎｏ．欄のデータを（例えば、０００３２や０００３３に）更新する。
【００７４】
上記実施の形態によれば、ＰＣ１１０が読み込んだ顧客データを含む情報に基づいて、名刺を収納して顧客に送付するための大箱のサイズおよび個数ならびに名刺を収納して個別に配布するための小箱のサイズおよび個数を決定し、決定した大箱に小箱がすべて収納可能でないときは大箱のサイズを更新し、大箱のサイズおよび個数ならびに小箱のサイズ個数に基づいて梱包指示書、納品書、および請求書を第１のプリンタ１２０に印刷させる共に、名刺データを第２のプリンタ１３０に印刷させるので、名刺の印刷と共に梱包指示書、納品書、および請求書を一括して印刷することができる。また、顧客の部門毎に名刺を小箱に梱包し、さらに小箱を大箱に入れる作業が梱包指示書により簡単に行うことができる。
【００７５】
また、納品書、梱包指示書、および請求書が一括して印刷されるので、名刺印刷業者側での梱包間違いや名刺の紛失を減少させることができる。さらに、顧客の名刺受け入れ窓口部門では、配送されてきた大箱を空け、小箱を各部門に社内便で送付するだけなので、煩雑な名刺の仕分け作業から開放することができる。
【００７６】
なお、上記実施の形態では、大箱を基準にして名刺の仮収納割りを行い、その後小箱の収納割を行った後で、小箱の大箱への収納割のチェックを行う場合について説明したが、小箱を基準にして行うようにしてもよい。その場合は、図３のステップＳ３０２で小箱判定処理（小箱の個数とサイズの決定処理）が実行され、ステップＳ３０３で小箱ラベルデータ生成処理を行い、ステップＳ３０４では、ステップＳ３０２〜Ｓ３０３で判定された小箱のサイズおよび個数に基づいて大箱の判定処理（大箱のサイズと個数の決定処理）、Ｓ３０５では、大箱ラベルデータ生成処理を行うことになる。このような処理手順によっても上述の実施例と同様の効果を奏することができる。
【００７７】
また、上記実施の形態では、住所１を比較して送付先住所が同一であるか否かを判定している。しかし、これに限らず、住所１および住所２の冒頭部分（〜市や〜区に続く部分の記載で、住所２から〜丁目以下の部分や〜番地の部分を除いた部分）に基づいて送付先住所の異同を判定してもよい。このように判定することで、同一市町村内に別の事業所が存在する場合にも正しく判定することが可能である。なお、情報処理装置に接続したキーボードまたはマウス、あるいは情報処理装置にＬＡＮ経由で接続された不図示の端末装置から、これらのいずれの方法で住所の異同の判定を指定するようにしてもよい。
【００７８】
本発明の目的は、上記実施の形態の機能を実現するソフトウェアのプログラムコードを記録した記憶媒体を、システムあるいは装置に供給し、そのシステムあるいは装置のコンピュータ（またはＣＰＵやＭＰＵ等）が記憶媒体に格納されたプログラムコードを読み出して実行することによっても達成される。
【００７９】
この場合、記憶媒体から読み出されたプログラムコード自体が上述した実施の形態の機能を実現することになり、そのプログラムコードを記憶した記憶媒体は本発明を構成することになる。
【００８０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００８１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００８２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【図面の簡単な説明】
【００８３】
【図１】本発明の実施の形態に係る名刺印刷システムの全体構成を示す構成図である。
【図２】図１の名刺印刷システムにおけるＰＣ１１０の内部構成を示すブロック図である。
【図３】名刺印刷システムにおいて実行される印刷処理のメインとなるフローチャートである。
【図４】名刺印刷システムにより生成される名刺データの詳細を示す図である。
【図５】図３のステップＳ３０２における大箱判定処理の詳細を示すフローチャートである。
【図６】図３のステップＳ３０４における小箱判定処理の詳細を示すフローチャートである。
【図７】図３のステップＳ３１２における名刺印刷順判定処理の詳細を示すフローチャートである。
【図８】名刺印刷システムにおいて利用されるテーブルデータを示す図であり、（ａ）は大箱寸法テーブル、（ｂ）は小箱寸法テーブル、（ｃ）は名刺寸法テーブルである。
【図９】大箱用ラベルの具体例を示す図である。
【図１０】小箱用ラベルの具体例を示す図である。
【図１１】大箱用の梱包指示書の具体例を示す図である。
【図１２】小箱用の梱包指示書の具体例を示す図である。
【図１３】小箱に対応する納品書の具体例を示す図である。
【図１４】大箱に対応する納品書の具体例を示す図である。
【図１５】請求書の具体例を示す図である。
【図１６】送付所要日数テーブルのテーブルデータを示す図である。
【符号の説明】
【００８４】
２１  ＣＰＵ
２２  ＲＡＭ
２３  ＲＯＭ
２８  ハードディスク
１００  ＬＡＮ
１１０  パーソナルコンピュータ（ＰＣ）
１２０  第１のプリンタ
１３０  第２のプリンタ
【図１】
2005352587.tif 000006
【図２】
2005352587.tif 000007
【図３】
2005352587.tif 000008
【図４】
2005352587.tif 000009
【図５】
2005352587.tif 000010
【図６】
2005352587.tif 000011
【図７】
2005352587.tif 000012
【図８】
2005352587.tif 000013
【図９】
2005352587.tif 000014
【図１０】
2005352587.tif 000015
【図１１】
2005352587.tif 000016
【図１２】
2005352587.tif 000017
【図１３】
2005352587.tif 000018
【図１４】
2005352587.tif 000019
【図１５】
2005352587.tif 000020
【図１６】
2005352587.tif 000021